(57)【要約】【課題】巻芯にラベルが１周に亘り貼り付いてしまうことがなく、ラベルを有効利用することができ、しかも、ラベル自体に特別な細工をしなくて済むようにして低コストで提供可能なラベルロール体を提供する。【解決手段】ラベルロール体１０は、紙製の巻芯１１と、それに巻き回される台紙なしラベル１２とを備える。巻芯１１の外周面には、その全域に剥離剤層が形成されている。ラベル１２は、帯状に形成された基材と、基材の表面に形成された剥離剤層と、基材の裏面に形成された粘着剤層とを備える。基材には、その長手方向に所定間隔で複数の破断部２１が設けられている。基材において隣り合う破断部２１の間の領域はラベル片２２となっている。【選択図】      図１
2013134284.tif 000002
【特許請求の範囲】
【請求項１】
帯状の基材の一方の面に剥離剤層が設けられ、前記基材の他方の面に粘着剤層が設けられた台紙なしラベルと、その台紙なしラベルが外周に巻き回される円筒状の巻芯と、を備えたラベルロール体であって、
前記巻芯は紙製であり、かつ前記巻芯の外周面には前記台紙なしラベルを剥離しやすくする剥離剤層が設けられており、さらに、前記巻芯の外周面側を前記他方の面として前記台紙なしラベルが巻き回されていることを特徴とするラベルロール体。
【請求項２】
前記台紙なしラベルの前記剥離剤層よりも前記巻芯の前記剥離剤層の方が、前記粘着剤層との粘着親和性が高く設定されている請求項１に記載のラベルロール体。
【請求項３】
前記ラベルは、長さ方向の所定間隔ごとに幅方向に延びる破断部が形成されており、隣接する破断部で区切られた領域が１つのラベル片とされている請求項１又は２に記載のラベルロール体。
【請求項４】
前記巻芯は、所定幅に切断された原紙を複数螺旋状に巻くことにより形成される多層構造であり、最外周に配置される原紙の表面に前記巻芯の剥離剤層が形成されている請求項１〜３のいずれか１項に記載のラベルロール体。
【発明の詳細な説明】
【技術分野】
【０００１】
本発明は、剥離台紙をもたないラベル（台紙なしラベル）を巻芯に巻き回して得られるラベルロール体に関する。
【背景技術】
【０００２】
近年、ラベルを剥離台紙から剥がす手間の削減などを目的として、剥離台紙をもたない台紙なしラベルが利用される場合がある。台紙なしラベルは、帯状の基材と、その基材の一方の面に形成された剥離剤層と、その基材の他方の面に形成された粘着剤層とを備えている。
【０００３】
帯状のラベルは巻芯の外周に巻き回されてラベルロール体として出荷される。ここで、ラベルに印刷を施す場合には、ラベルプリンタが用いられる。ラベルプリンタはラベル送り機構を有しており、ラベルを引き出しながらラベル表面に印刷が施される。
【０００４】
ところが、ラベルの基端側である巻芯への巻き始め部分に着目すると、巻芯の外周面にラベルの粘着剤層が向けられていることから、ラベルの基端側の１周分は巻芯に直接貼り付いた状態になっている。そのため、ラベルがなくなる間際では、ラベルを引き出そうとしても上手くいかない。この場合、ラベル自体が途中で破断されてしまったり、ラベルプリンタのラベル送り機構に過負荷が付与されてエラーになってしまったりする等の問題が発生する。
【０００５】
上記問題を回避すべく、特許文献１，２では、巻芯の外周にラベルの粘着剤層側を１周させ、ラベルの１周以上した箇所に切り込み装置で切り込みを入れたものが提案されている。
【０００６】
しかしながら、このような構成では、ラベルを１周させてから巻芯へのラベルの巻き回し作業を中断し、切り込みを入れた後にラベルの巻き回し作業を再開することになる。このような作業は効率が悪く、大量のラベルロール体を製造するのには適していない。また、切り込み装置による切り込み作業がラベルの巻き回し過程で行なわれるため、切り込みのレベルが不安定になりやすく、必ずしも所望の破断レベルが得られないという問題もある。さらには、巻芯に巻かれた最後の１周分についてはラベルが無駄に廃棄されてしまうという問題もある。
【０００７】
一方、巻芯をなくしてしまうという発想のもと、台紙なしラベルそれ自体でロールを形成したラベルロールも、特許文献３において提案されている。この場合、巻芯をなくしてしまうと、ラベルロールの内周側に粘着剤層が露出してしまい、取扱いが不便である。そこで、ラベルロールの内周側に相当する部分に非粘着性を付与している。
【０００８】
しかしながら、このような構成では、ラベルロールの最内周に相当する部分にだけ非粘着性材料を被覆する作業が必要になる。ラベルロールは連続した帯状に形成されており、上記最内周に相当する部分にだけ非粘着性材料を被覆することは作業効率が悪く、コスト増につながる。すなわち、巻芯をなくしたラベルロールでは、低コストで提供することができない。
【先行技術文献】
【特許文献】
【０００９】
【特許文献１】特開２００３−１５５２５号公報
【特許文献２】特開平１１−５９６４０号公報
【特許文献３】特開２０１１−１３３６９号公報
【発明の概要】
【発明が解決しようとする課題】
【００１０】
本発明は、巻芯にラベルが１周に亘り貼り付いてしまうことがなく、ラベルを有効利用することができ、しかも、ラベル自体に特別な細工をしなくて済むようにして低コストで提供可能なラベルロール体を得ることを目的とする。
【課題を解決するための手段】
【００１１】
上記目的を達成すべく、第１の発明では、帯状の基材の一方の面に剥離剤層が設けられ、前記基材の他方の面に粘着剤層が設けられた台紙なしラベルと、その台紙なしラベルが外周に巻き回される円筒状の巻芯と、を備えたラベルロール体であって、前記巻芯は紙製であり、かつ前記巻芯の外周面には前記台紙なしラベルを剥離しやすくする剥離剤層が設けられており、さらに、前記巻芯の外周面側を前記他方の面として前記台紙なしラベルが巻き回されていることを特徴とする。
【００１２】
第１の発明によれば、巻芯の外周面に剥離剤層が設けられているため、ラベルを基端まで引き出した際にラベルを巻芯の外周面（剥離剤層）から剥離させ巻芯から離脱させることができる。これにより、巻芯にラベルが貼り付いてラベルが破断されたりラベル送り機構に過負荷が付与されエラーが発生したりする不都合を回避することができる。
【００１３】
ところで、ラベルの基端側に切り込みを設けその切り込みによりラベルを巻芯側から離脱させる従来技術（特許文献１及び２参照）によっても上述の効果を得ることはできる。しかしながら、この場合、巻芯へのラベル巻き回し工程の途中で巻き回しを一旦停止させラベルに切り込みを設けることとなるため、作業効率の低下や切り込み品質の不安定化といった問題が生じるおそれがある。この点、本発明では、ラベル自体に何の処理も施す必要がないため、ラベル特有のかかる問題を回避しながら上述の効果を得ることができる。また、ラベルをその基端にて巻芯から剥離させるようにしたため、ラベルを最後の１周まで使用することができ、ラベルの有効利用を図ることができる。さらに、粘着剤層に対して本来貼り付いてしまう安価な紙製の巻芯に剥離剤層を設けることでラベルの剥離効果を得るようにしたため、コストの低減を図ることができる。以上より、ラベルを有効利用することができ、しかも、ラベル自体に特別な細工をしなくて済むようにして低コスト化を図ることができる。
【００１４】
第２の発明は、第１の発明において、前記台紙なしラベルの前記剥離剤層よりも前記巻芯の前記剥離剤層の方が、前記粘着剤層との粘着親和性が高く設定されていることを特徴とする。
【００１５】
第２の発明によれば、巻芯の剥離剤層が、ラベルの剥離剤層よりも粘着剤層との粘着親和性が高く設定されているため、ラベルを巻芯の外周面に対して弱い粘着力で接着することができる。これにより、ラベルを最後の一周まで引き出し可能としつつも、ラベルを巻芯に対してスムーズに巻き始めることができる。
【００１６】
第３の発明は、第１又は第２の発明において、前記ラベルが、長さ方向の所定間隔ごとに幅方向に延びる破断部が形成されており、隣接する破断部で区切られた領域が１つのラベル片とされていることを特徴とする。
【００１７】
第３の発明によれば、巻芯からラベルを引き出す際、その引き出しに伴いラベルにテンションをかけることでラベル片を破断部で切り離すことができる。ここで、従来技術（特許文献１及び２参照）のラベルにかかる破断部を設けた場合、ラベル片を破断部で切り離すべくラベルにテンションをかけた際に、ラベルが破断部で破断されず切り込み部分で破断されてしまう可能性がある。その点、ラベルに対して切り込み等の処理を施さない本発明によれば、そのような不都合が生じることがないため、各ラベル片を最後まで切り離すことが可能となる。
【００１８】
第４の発明は、第１〜第３の各発明において、前記巻芯は、所定幅に切断された原紙を複数螺旋状に巻くことにより形成される多層構造であり、最外周に配置される原紙の表面に前記巻芯の剥離剤層が形成されていることを特徴とする。
【００１９】
第４の発明によれば、巻芯を製造する製造段階において、巻芯を構成する複数の原紙のうち一の原紙の表面に剥離剤層を形成し、その原紙を最後に巻き付けることで巻芯の外周面に剥離剤層を形成することができる。これにより、巻芯の外周面に後工程で剥離剤層を形成する場合と比べ、簡単かつきれいに剥離剤層を形成することができる。
【図面の簡単な説明】
【００２０】
【図１】ラベルロール体の斜視図。
【図２】巻芯の斜視図。
【図３】（ａ）が巻芯の原紙の断面図、（ｂ）がラベルの断面図。
【発明を実施するための形態】
【００２１】
以下、本発明を具体化した一実施の形態を図面に従って説明する。なお、図１は、ラベルロール体の斜視図であり、図２は巻芯の斜視図である。図３は（ａ）が巻芯の原紙の断面図であり、（ｂ）がラベルの断面図である。
【００２２】
図１に示すように、ラベルロール体１０は、巻芯１１と、それに巻き回される台紙なしラベル１２（以下、単にラベル１２という）とを備える。巻芯１１は、紙製であり、円筒状をなしている。具体的には、図２に示すように、巻芯１１は、所定幅に切断された複数のスリット状の原紙１４がスパイラル状（螺旋状）に圧縮されながら巻かれることにより形成されており、これにより多層構造をなしている。
【００２３】
巻芯１１の外周面には、その全域に剥離剤層１５が形成されている。剥離剤層１５は、巻芯１１の外周面に剥離剤としてシリコン樹脂が塗布されることにより形成されている。具体的には、図３（ａ）に示すように、巻芯１１において最外周に配置される原紙１４の表面にシリコン樹脂が塗布されることにより剥離剤層１５が形成されている。より詳しくは、巻芯１１の製造工程において、最外周に配置される原紙１４の表面にシリコン樹脂が塗布され、その塗布された原紙１４が塗布面を表面に向けて巻芯１１の最外周に巻回されることにより巻芯１１の外周面に剥離剤層１５が形成されるようになっている。なお、剥離剤としては、必ずしもシリコン樹脂を用いる必要はなく、フッ素樹脂等その他の樹脂材料を用いてもよい。
【００２４】
図３（ｂ）に示すように、ラベル１２は、帯状に形成された基材１７と、基材１７の表面に形成された剥離剤層１８と、基材１７の裏面に形成された粘着剤層１９とを備える。基材１７は、感熱紙（サーマル紙）により形成されており、巻芯１１と同じ幅寸法（短手方向の長さ）を有している。
【００２５】
基材１７には、その長手方向に所定間隔（詳しくは等間隔）で複数の破断部２１が設けられている。破断部２１は、基材１７の幅方向に延びるミシン目により形成されている。なお、破断部２１はミシン目に代えて、切り込みにより形成されてもよい。基材１７において隣り合う破断部２１の間の領域はラベル片２２となっている。ラベル片２２は、基材１７の長手方向全域に亘って複数設けられている。これにより、各ラベル片２２をそれぞれ破断部２１にて切り離し可能となっている。
【００２６】
剥離剤層１８は、基材１７の表面に剥離剤としてシリコン樹脂が塗布されることにより形成されている。剥離剤層１８は、基材１７の表面全域に亘り形成されている。なお、剥離剤としては、必ずしもシリコン樹脂を用いる必要はなく、フッ素樹脂等他の樹脂材料を用いてもよい。
【００２７】
粘着剤層１９は、基材１７の裏面にエマルジョン系の接着剤が塗布されることにより形成されている。粘着剤層１９は、基材１７の裏面全域に亘って形成されている。なお、接着剤としては、エマルジョン系の接着剤の他に、ソルベント系やホットメルト系の接着剤等を用いることができる。
【００２８】
ここでラベル１２の剥離剤層１８は、巻芯１１の剥離剤層１５よりも粘着剤層１９との粘着親和力が小さく設定されている。換言すると、ラベル１２の剥離剤層１８よりも巻芯１１の剥離剤層１５の方が粘着剤層１９との粘着親和力が大きく設定されている。これは、巻芯１１の剥離剤層１５が重剥離用の剥離剤（シリコン樹脂）を用いて形成され、ラベル１２の剥離剤層１８が軽剥離用の剥離剤（シリコン樹脂）を用いて形成されることにより実現されている。
【００２９】
次に、巻芯１１に対するラベル１２の巻かれ方について説明する。
【００３０】
巻芯１１に対してラベル１２が巻かれる際にはまず、巻芯１１の外周面にラベル１２の長さ方向の一端（基端）が配置され、その状態でラベル１２が巻芯１１の外周面に押し付けられながら１周り巻回される。この場合、上述したように巻芯１１の剥離剤層１５はラベル１２の粘着剤層１９との粘着親和力が比較的高く設定されているため、ラベル１２が巻芯１１の外周面に弱く接着された状態で巻き付けが行われる。そのため、ラベル１２を巻芯１１に対してスムーズに巻き始めることができる。その後、ラベル１２の残りの部分が巻芯１１に巻き付けられ、ラベルロール体１０が完成する。
【００３１】
続いて、ラベルロール体１０の作用について説明する。ここでは、ラベルロール体１０をラベルプリンタにセットして、ラベル送り出し機構によりラベル１２を引き出す際の作用について説明する。
【００３２】
ラベルロール体１０は、ラベル送り出し機構の供給リールに巻芯１１が挿入された状態でセットされる。ラベル１２は、ラベル送り出し機構により必要に応じて巻芯１１から引き出され、その後ラベル先端のラベル片２２に印字がされるとともに、その印字されたラベル片２２がラベル１２にテンションが加えられることにより破断部２１で切り離される。このようにして、ラベル１２は、順次破断部２１でラベル片２２として切り離され、その基端側（換言すると巻芯１１への巻き始め側）まで引き出されるようになっている。そして、ラベル１２が基端側まで引き出された状態（例えば巻芯１１にラベル１２が１周分だけ巻き付けられた状態）で、ラベル１２にテンションが加えられると、ラベル１２が巻芯１１の外周面すなわち剥離剤層１５から剥離され巻芯１１から離脱する。これにより、巻芯１１にラベル１２が貼り付いてラベル１２が途中で破断されたりラベル送り機構に過負荷が付与されエラーが発生したりする不都合を回避することが可能となっている。
【００３３】
以上、詳述した本実施形態の構成によれば、以下の優れた効果が得られる。
【００３４】
外周にラベル１２が巻き回される巻芯１１を紙製とし、その巻芯１１の外周面にラベル１２を剥離しやすくする剥離剤層１５を設けたため、ラベル１２を基端まで引き出した際にラベル１２を巻芯１１の外周面（剥離剤層）から剥離させることができる。これにより、ラベル１２側に何の処理を施すことなく、巻芯１１にラベル１２が貼り付くことで生じうる上述の不都合（ラベル１２が途中で破断する等）を回避することができる。また、ラベル１２をその基端にて巻芯１１から剥離させるようにしたことで、ラベル１２を最後の１周まで使用することができるため、ラベル１２の有効利用を図ることができる。さらに、粘着剤層１９に対して本来貼り付いてしまう安価な紙製の巻芯１１に剥離剤層１５を設けることでラベル１２の剥離効果を得るようにしたため、コストの低減を図ることもできる。
【００３５】
巻芯１１の剥離剤層１５についてラベル１２の剥離剤層１８よりも粘着剤層１９との粘着親和性を高く設定した。この場合、ラベル１２を巻芯１１の外周面に対して弱い粘着力で接着することができるため、ラベル１２を最後の一周まで引き出し可能としつつも、ラベル１２を巻芯１１に対してスムーズに巻き始めることができる。
【００３６】
ラベル１２において長さ方向の所定間隔ごとに幅方向に延びる破断部２１を形成したため、ラベル１２を巻芯１１から引き出す際にラベル１２にテンションを加えることでラベルの一部（すなわちラベル片２２）を破断部２１で切り離すことができる。ここで本ラベル１２では、破断部２１の他に、切り込みやミシン目等の易破断部が設けられていないため、ラベル１２にテンションを加えてラベル片２２を破断部２１で切り離そうとした際に、ラベル１２が意に反して易破断部で破断されてしまうといった不都合が生じることがない。このため、各ラベル片２２を最後まで残らず切り離すことが可能となる。
【００３７】
巻芯１１を、所定幅に切断された複数の原紙１４を螺旋状に巻いて形成することで多層構造とするとともに、それら各原紙１４のうち最外周に配置される原紙１４の表面に剥離剤層１５を形成した。この場合、巻芯１１を製造する製造段階において、最外周に配置される原紙１４の表面に剥離剤層１５を形成し、その剥離剤層１５を形成した原紙１４を巻き付けることにより巻芯１１の外周面に剥離剤層１５を形成することができる。これにより、巻芯１１の外周面に後工程で剥離剤層１５を形成する場合と比べ、簡単かつきれいに剥離剤層１５を形成することができる。
【００３８】
本発明は上記実施形態に限らず、例えば次のように実施されてもよい。
【００３９】
（１）上記実施形態では、巻芯１１の製造工程において巻芯１１の外周面にシリコン樹脂を塗布することで剥離剤層１５を形成したが、巻芯１１を製造した後の後工程において巻芯１１の外周面にシリコン樹脂を塗布して剥離剤層１５を形成してもよい。そうすれば、既製の巻芯１１（紙管）にシリコン樹脂を塗布することで剥離剤層１５を形成することが可能となる。また、剥離剤層１５は必ずしもシリコン樹脂を塗布することにより形成する必要はなく、シリコン樹脂に浸漬する等他の方法で形成してもよい。
【００４０】
（２）上記実施形態では、巻芯１１の外周面全域に剥離剤層１５を形成したが、巻芯１１の外周面の一部に剥離剤層１５を形成しない部分を設けてもよい。そうすることで、巻芯１１の外周面にラベル１２を弱い粘着力で接着させることが可能となるため、上記実施形態と同様、ラベル１２を巻芯１１に対してスムーズに巻き始めることができる。
【００４１】
（３）ラベル１２の基端部（ラベル１２の巻き始めの部分）を巻芯１１の外周面に対して微粘着テープを用いて取り付けてもよい。この場合においても、ラベル１２の基端部を巻芯１１の外周面に弱い粘着力で接着することができ、ラベル１２を巻芯１１にスムーズに巻き始めることができる。
【００４２】
（４）本発明のラベルロール体１０は、ラベルプリンタ以外にも、ラベル貼付機やディスペンサ等、ラベル送り出し機構を有する他の装置に用いることができる。
【符号の説明】
【００４３】
１０…ラベルロール体、１１…巻芯、１２…台紙なしラベル、１４…原紙、１５…剥離剤層、１７…基材、１８…剥離剤層、１９…粘着剤層、２１…破断部、２２…ラベル片。
【図１】
2013134284.tif 000003
【図２】
2013134284.tif 000004
【図３】
2013134284.tif 000005
【手続補正書】
【提出日】平成24年3月19日(2012.3.19)
【手続補正１】
【補正対象書類名】特許請求の範囲
【補正対象項目名】全文
【補正方法】変更
【補正の内容】
【特許請求の範囲】
【請求項１】
帯状の基材の一方の面に剥離剤層が設けられ、前記基材の他方の面に粘着剤層が設けられた台紙なしラベルと、その台紙なしラベルが外周に巻き回される円筒状の巻芯と、を備えたラベルロール体であって、
前記巻芯は紙製であり、かつ前記巻芯の外周面には前記台紙なしラベルを剥離しやすくする剥離剤層が設けられており、さらに、前記巻芯の外周面側を前記他方の面として前記台紙なしラベルが巻き回されており、
前記台紙なしラベルの前記剥離剤層よりも前記巻芯の前記剥離剤層の方が、前記粘着剤層との粘着親和性が高く設定されていることを特徴とするラベルロール体。
【請求項２】
前記巻芯の前記剥離剤層は、重剥離用の剥離剤を用いて形成され、
前記台紙なしラベルの前記剥離剤層は、軽剥離用の剥離剤を用いて形成されている請求項１に記載のラベルロール体。
【請求項３】
前記ラベルは、長さ方向の所定間隔ごとに幅方向に延びる破断部が形成されており、隣接する破断部で区切られた領域が１つのラベル片とされている請求項１又は２に記載のラベルロール体。
【請求項４】
前記巻芯は、所定幅に切断された原紙を複数螺旋状に巻くことにより形成される多層構造であり、最外周に配置される原紙の表面に前記巻芯の剥離剤層が形成されている請求項１〜３のいずれか１項に記載のラベルロール体。